(57)【要約】【課題】従来の免震装置では、環境に問題の有る産業廃棄物のゴム・合成ゴム・プラスチックの伸縮力とバネや流体圧及び土嚢効果のショック吸収力を複合利用して製造コストを下げ、施工を簡素化して構造物基礎全体の平面で均等免震を施す基礎ブロックの免震装置が無かった、これらの課題を解決する。【解決手段】本発明は、環境やコストに配慮した産業廃棄物のゴム・合成ゴム・プラスチックの伸縮力とバネや流体圧及び土嚢効果のショック吸収力を複合利用して免震力を高めて施工を簡素化し構造物基礎全体の平面で均等免震を施すことができる基礎ブロックの免震装置である。【選択図】  図２
2007070955.tif 000002
【特許請求の範囲】
【請求項１】
産業廃棄物ゴム及び産業廃棄物合成ゴムのチップ材をゴム接着のりと圧縮及び熱処理で固めた箱型形状に中空を設けて、その中空に構造物の大きさや重量により異なる中空流体圧を施した円柱又はバネ数個を相対的にバランス良く配置し、その他の中空隙間に固体粒子を詰め合わせた箱型形状ブロック１個の平面積に掛かる重量の１０Ｋｇ〜５００Ｋｇ範囲で支持し、さらに箱型形状の中に内枠を施した穴を２〜４箇所設けて、構造物の大きさや重量により異なる数のバネ数個に箱型形状ブロック１個の平面積に掛かる構造物全重量の１０Ｋｇ〜５００Ｋｇ範囲を差し引いた重量を支持して、ブロック内固体粒子の土嚢効果によるショック吸収力を持った事を特徴とする基礎ブッロク免震装置。
【請求項２】
その免震基礎ブロックの箱型形状に中空を設けて詰め込む固体粒子材には、産業廃棄物ゴム及び産業廃棄物合成ゴムのチップ材と産業廃棄物プラスチック粒子１ｍｍ〜４０ｍｍ及び産業廃棄物再生砕石粒子１ｍｍ〜４０ｍｍ、又は砂・石・ガラス・炭の粒子１ｍｍ〜４０ｍｍ資材を配合したことを特徴とする請求項1に記載の基礎ブッロク免震装置。
【請求項３】
又、構造物基礎の埋め戻し粒子資材に横からの免震に産業廃棄物ゴム及び産業廃棄物合成ゴムのチップ材と産業廃棄物プラスチック粒子１ｍｍ〜４０ｍｍ及び産業廃棄物再生砕石粒子１ｍｍ〜４０ｍｍ、又は砂・石・ガラス・炭の粒子１ｍｍ〜４０ｍｍ資材を配合して伸縮の免震を利用した請求項1又は２記載の基礎ブッロク免震装置。
【請求項４】
産業廃棄物を再利用することで環境問題や製造コストに配慮した、産業廃棄物ゴム及び産業廃棄物合成ゴムのチップ材と産業廃棄物プラスチックの伸縮材及び産業廃棄物再生砕石を利用した箱型形状の請求項1、２又は３記載の基礎ブッロク免震装置。
【発明の詳細な説明】
【技術分野】
【０００１】
本発明は、一般住宅や構造物の免震に関するものである。
【背景技術】
【０００２】
本発明は、一般住宅基礎に免震を支持するものである。
【０００３】
本発明は、構造物基礎に免震を支持するものである。
【０００４】
本発明は、免震基礎ブロックに産業廃棄物ゴム．産業廃棄物合成ゴム．産業廃棄物プラスチック・産業廃棄物再生砕石を再利用したものである。
【発明の開示】
【発明が解決しようとする課題】
【０００５】
従来の免震基礎においては、構造物基礎に鋼材バネ及び流体圧を利用したものがあり、構造物重量の加重負荷点数箇所に施してあり、施工する箇所の問題や構造物基礎全体の平面で均等免震を施すには問題があった。
【０００６】
従来の耐震基礎においては、構造物基礎の強度を増して破損及び破壊を防ぐ耐震することが有るが、免震がなく震度を直接受けた構造物内の物や人体に影響があり問題があった。
【０００７】
従来の免震基礎においては、構造物基礎材に環境や製造コストに配慮した産業廃棄物を再利用することが無かった。
【０００８】
従来の免震基礎においては、構造物基礎に伸縮材を固めたパット状の免震を施しているが震度の免震力に問題があった。
【０００９】
従来の免震基礎においては、特許文献には免震基礎ブロックでは特開平０９−２１０１２８と免震基礎装置の特開平１１−１４１１８３の免震装置が有るが免震の手法が異なる形態である。他に免震・制震による工法で各会社カタログの一般参考資料に、昭和電線電気の免震アイソレーター、オイレス工業の鉛プラグ入り積層ゴム、ブリヂストンのマルチラバーベアリング、オイレス工業の滑り振り子型免震装置、三菱マテリアルのU１８０型鉛ダンパー、巴コーポレーションの免震鋼棒ダンパー、新日本製鉄ループ状免震鋼棒ダンパー、昭和電線電気の粘弾性ダンパー、住友スリーエムの粘弾性ダンパー、鹿島建設ハニカムダンパ等が有るが、いずれも上記に述べた〔０００５〕〜〔０００８〕の課題に問題があり、又ブロック形態の免震装置では無かった。
【課題を解決するための手段】
【００１０】
本発明の目的を達成するために、産業廃棄合成ゴム及び産業廃棄合成ゴムの伸縮力とバネの反発力や風船の流体圧の反発力と袋状に固体粒子を詰めた土嚢効果のショック吸収力を複合利用する手段として、産業廃棄物ゴム及び産業廃棄合成ゴムのチップ材をゴム接着のりと圧縮及び熱処理で固めた箱型形状に中空を設けて、その中空に構造物の大きさや重量により異なる中空流体圧を施した円柱又はバネ数個を相対的にバランス良く配置し、その他の中空隙間に固体粒子を詰め合わせた箱型形状ブロック１個の平面積に掛かる重量の１０Ｋｇ〜５００Ｋｇ範囲内で支持し、さらに箱型形状の中に内枠を施し穴を２〜４箇所設けて、構造物の大きさや重量によって異なる数のバネ数個に箱型形状ブロック１個の平面積に掛かる構造物全重量の１０Ｋｇ〜５００Ｋｇ範囲を差し引いた重量を支持して、ブロック内の固体粒子を詰め合わせた土嚢効果によるショック吸収力を施した免震基礎ブッロクである。
【００１１】
その免震基礎ブロックを構造物基礎下部全体に施し構造物全体の重量を均等に支持し構造物の免震を施した基礎ブッロクである。  
【００１２】
又、箱形状に中空を設けて詰め込む固体粒子材には、産業廃棄物ゴム及び合成ゴムチップ材３０％〜７０％と産業廃棄物プラスチック粒子１ｍｍ〜４０ｍｍや産業廃棄物再生砕石粒子１ｍｍ〜４０ｍｍ、又は砂・石・ガラス・炭の粒子１ｍｍ〜４０ｍｍの資材を配合した、産業廃棄物再利用した免震基礎ブッロクである。  
【００１３】
さらに又、構造物基礎の側面埋め戻しに横からの免震に対しても上記と同じ配合した産業廃棄物ゴム及び合成ゴムチップ材と産業廃棄物プラスチック粒子１ｍｍ〜４０ｍｍや産業廃棄物再生砕石粒子１ｍｍ〜４０ｍｍ、又は砂・石・ガラス・炭の粒子１ｍｍ〜４０ｍｍの資材で伸縮の免震を施した免震基礎ブッロクである。
【００１４】
本発明の目的を達成するために、産業廃棄ゴム及び産業廃棄合成ゴムと産業廃棄プラスチックの伸縮材や産業廃棄物再生砕石を再利用した箱型形状の免震ブロックで構造物基礎に免震力を施し、施工の簡素化及び製造コストを下げて問題を解決した免震基礎ブッロクである。
【発明の効果】
【００１５】
本発明の免震基礎ブッロクを設置することにより、施工する時に免震ブッロクを構造物基礎下部全体に一様に設置するだけの施工要領で簡素化し、構造物基礎全体の平面で均等免震を施した構造物にすることが出来る。
【００１６】
本発明の免震基礎ブッロクを設置することにより、構造物基礎の強度を増すことなく通常の建設基準基礎に免震力があり、構造物本体及び構造物内の物や人体に震度被害を少なくすることが出来る。
【００１７】
本発明の免震基礎ブッロクを設置するで、産業廃棄物を再利用することによる環境問題や製造コストに配慮し免震した構造物が出来る。
【００１８】
本発明の免震基礎ブッロクを設置することにより、従来の固めた伸縮材パット形状より構造物の免震が出来る。
【発明を実施するための最良の形態】
【００１９】
以下、本発明の実施の形態を図１〜図３に基づいて説明する。
【００２０】
図１においては、免震基礎ブッロクの平面図で外枠１と内枠３に産業廃棄ゴム及び合成ゴムのチップ材をゴム接着のりと圧縮及び熱処理で箱型形状に固め中空を設けて、その中空に産業廃棄物ゴム及び合成ゴムチップ材と産業廃棄物プラスチック粒子１ｍｍ〜４０ｍｍや産業廃棄物再生砕石粒子１ｍｍ〜４０ｍｍ、又は砂・石・ガラス・炭の粒子１ｍｍ〜４０ｍｍの資材を配合したもの２と、中空流体圧を施した円柱形６又はバネ６bを構造物の大きさや重量に合わせ数個を相対的にバランス良く施し詰め合わせ、さらにブッロクの中に内枠３で設けた穴５を２個所〜４個所の空間にバネ保護板４に構造物の大きさや重量に合わせた数個のバネ４―ａと保護板４の上部にコンクリート基礎との固定アンカー４―ｂを施した形態の免震基礎ブロックである。
【００２１】
図２においては、免震基礎ブッロク箱型の縦側L面断面図で横外枠１と内枠３に中間厚みを細くして急激な縦震度圧のときに中空に詰めた配合資材２と横外枠１の伸縮を利用して外側に膨らみ震度圧を逃す土嚢効果で免震する形態の免震基礎ブロックである。
【００２２】
図３においては、免震基礎ブッロク箱型の横側W面断面図で縦外枠１と横に施した同じ免震基礎ブッロクの間に空間７を設け、急激な縦横震度圧のときに中空に詰めた資材２と縦外枠１の伸縮を利用して隣の免震基礎ブッロク横との空間７に膨らみ縦横震度圧を逃す土嚢効果で免震する形態の免震基礎ブロックである。
【００２３】
図４においては、軽量構造物の場合は外枠１と中空に内柱９を設置し、配合資材２を詰めて施した免震基礎ブッロクである。
【００２４】
さらに軽量構造物免震基礎ブロック及び他の免震基礎の埋め戻しに配合資材８の免震を施したものである。
【図面の簡単な説明】
【００２５】
【図１】免震ブロック平面図
【図２】免震ブロック縦断面図
【図３】免震ブロック横断面図
【図４】軽量免震ブロック断面図
【図５】免震基礎ブロック内のバネ保護版断面図
【符号の説明】
【００２６】
１  免震基礎ブロック外枠
２  免震基礎ブロック内の粒子クッション資材
３  免震基礎ブロック内枠
４  免震基礎ブロック内のバネ保護版
４−ａ  免震基礎ブロック内のバネ
４−ｂ  免震基礎ブロックとコンクリート基礎の固定アンカー
５    免震基礎ブロック内枠で穴を設けたバネ設置空間
６    免震基礎ブロック内の流体圧クッション
６−ａ  免震基礎ブロック内の流体圧クッション枠
６−ｂ  免震基礎ブロック内のバネ
７  免震基礎ブロックと免震基礎ブロックの設置接続部免震空間
８  基礎免震埋め戻し資材
９  免震基礎ブロック内柱
【図１】
2007070955.tif 000003
【図２】
2007070955.tif 000004
【図３】
2007070955.tif 000005
【図４】
2007070955.tif 000006
【図５】
2007070955.tif 000007